(57)【要約】【課題】入浴時の快適性を向上させることができる風呂装置を提供する。【解決手段】熱源機１００は、熱媒体との間での熱交換によって、循環路８を循環する湯水２１を昇温する。ポンプ１０は、循環路８に接続され、湯水２１を浴槽２０および循環路８の間で循環する。入室センサ３３は、浴室２００への入浴者４０の入室および退室を検知する。入浴センサ１１は、入浴者４０の浴槽２０への入浴を検知する。制御部１２は、入浴センサ１１により入浴者４０が入浴したことが検知されたときに、浴槽２０の湯水２１の温度を設定温度に上昇させるように、熱源機１００およびポンプ１０を制御する。制御部１２は、さらに、入室センサ３３により入浴者４０が浴室２００から退室したことが検知されたときに、熱媒体との間での熱交換によって、湯水２１を降温するように、熱源機１００およびポンプ１０を制御する。【選択図】図１
2019011898.tif 000002
【特許請求の範囲】
【請求項１】
浴室に設置された浴槽に接続される風呂装置であって、
前記浴槽に接続された状態で前記浴槽の湯水を循環させる循環路と、
熱媒体との間での熱交換によって、前記循環路を循環する前記湯水の温度を調整するための伝熱部と、
前記循環路に接続され、前記湯水を前記浴槽および前記伝熱部の間で循環するためのポンプと、
前記浴室への入浴者の入室および退室を検知する入室センサと、
前記入浴者の前記浴槽への入浴を検知する入浴センサと、
前記浴槽の前記湯水の温度を検知する温度センサと、
前記入室センサ、前記入浴センサおよび前記温度センサの検知信号に基づいて、前記伝熱部および前記ポンプを制御する制御部とを備え、
前記風呂装置では、設定温度よりも低い初期温度で前記浴槽への注湯運転が実行され、
前記制御部は、
前記入浴センサにより前記入浴者が入浴したことが検知されたときに、前記浴槽の前記湯水の温度を前記設定温度に上昇させるように、前記伝熱部および前記ポンプを制御し、さらに、
前記入室センサにより前記入浴者が前記浴室から退室したことが検知されたときに、前記熱媒体との間での熱交換によって、前記湯水を前記設定温度よりも低い温度に降温するように、前記伝熱部および前記ポンプを制御する、風呂装置。
【請求項２】
前記制御部は、
前記入室センサにより前記入浴者が前記浴室に入室したことが検知されたときの前記湯水の温度が前記初期温度であるように、前記伝熱部および前記ポンプを制御し、さらに、
前記入室センサにより前記入浴者が前記浴室から退室したことが検知されたときには、前記湯水の温度を前記初期温度まで低下させるように、前記伝熱部および前記ポンプを制御する、請求項１に記載の風呂装置。
【請求項３】
前記制御部は、前記湯水の温度を前記初期温度まで低下させた後に、前記入浴センサにより前記入浴者が入浴したことが検知されたときには、前記湯水の温度を前記初期温度から前記設定温度まで上昇させるように、前記伝熱部および前記ポンプを制御する、請求項２に記載の風呂装置。
【請求項４】
前記入室センサにより前記入浴者が前記浴室から退室したことが検知された後に、前記湯水の温度が前記初期温度まで低下したことを報知するための報知部をさらに備える、請求項２または３に記載の風呂装置。
【請求項５】
前記伝熱部は、
燃料を燃焼させて燃焼ガスを発生する燃焼部と、
前記燃焼部に空気を供給するファンと、
前記燃焼ガスと前記浴槽の前記湯水との間で熱交換を行なう熱交換器とを含み、
前記循環路は、
前記熱交換器の入力端に接続される戻り配管と、
前記熱交換器の出力端に接続される往き配管とを有し、
前記制御部は、前記入室センサにより前記入浴者が前記浴室から退室したことが検知されたときに、前記燃焼部を停止状態とする一方で、前記ファンおよび前記ポンプを作動させる、請求項１から４のいずれか１項に記載の風呂装置。
【請求項６】
前記伝熱部は、外部の暖房端末に供給される熱媒体を加熱する暖房運転を実行するように構成され、
前記伝熱部は、
前記熱媒体を加熱する加熱機構と、
前記暖房運転時に、前記加熱機構によって加熱された前記熱媒体を前記暖房端末との間で循環するための暖房循環経路と、
液体同士の熱交換のための一次側経路および二次側経路を有する熱交換器と、
前記暖房循環経路から分岐されて、前記熱媒体が前記暖房端末を経由せずに前記熱交換器の前記一次側経路を通流した後再び前記暖房循環経路に合流するように構成されたバイパス経路と、
前記加熱機構によって加熱された前記熱媒体の全流量に対する前記バイパス経路へ供給される前記熱媒体の流量の比率である分配率を制御するための流量制御機構とを含み、
前記循環路は、
前記二次側経路の入力側と接続される戻り配管と、
前記二次側経路の出力側と接続される往き配管とを有し、
前記加熱機構は、
前記燃料を燃焼させて燃焼ガスを発生する燃焼部と、
前記燃焼部に空気を供給するファンとを含み、
前記制御部は、前記入室センサにより前記入浴者が前記浴室から退室したことが検知されたときには、前記ポンプおよび前記ファンを作動させる一方で、前記燃焼部を停止状態とし、かつ、前記分配率を、前記熱媒体の全量が前記バイパス経路に供給される値に設定するように前記流量制御機構を制御する、請求項１から４のいずれか１項に記載の風呂装置。
【発明の詳細な説明】
【技術分野】
【０００１】
本発明は、風呂装置に関し、特に、浴槽内の湯水を加熱するための熱源機を備えた風呂装置に関する。
【背景技術】
【０００２】
風呂装置の一態様として、たとえば、特許第３３３１１２３号（特許文献１）には、浴槽内の湯水を循環させるポンプと、ポンプにより浴槽の湯水を循環させた状態で当該湯水を加熱する加熱器と、浴槽内の湯水の温度を検出する温度検出手段と、湯温を設定する湯温設定手段からの湯温調節指示信号と温度検出手段からの検出温度信号とに基づいて、加熱器を制御する制御手段とを備える浴槽温度制御装置が記載されている。特許文献１では、湯水の循環経路中に補助用熱交換器がさらに設置される。そして、上記構成において、湯温設定手段から湯温を下げる指示信号が入力されたときには、制御手段は、ポンプにより浴槽内の湯水を循環させるとともに、冷暖房機の室外熱交換器から上記補助用熱交換器に低温の熱媒体を供給するように構成される。
【先行技術文献】
【特許文献】
【０００３】
【特許文献１】特許第３３３１１２３号
【発明の概要】
【発明が解決しようとする課題】
【０００４】
上記特許文献１に記載される風呂装置では、浴槽内の水位を一定に保ったままで浴槽内の湯水の温度を設定温度に調節することができる。
【０００５】
しかしながら、設定温度によっては、部屋から脱衣場、その後の入浴といった入浴までの一連の行動において、急激な温度変化が生じる場合がある。たとえば、温かい部屋から寒い脱衣場、その後の高温入浴といったように、温度が急激に変化すると、入浴者の身体に負担がかかってしまい、入浴者の快適感を低下させることが懸念される。
【０００６】
一般家庭で風呂装置を使用する場合、家庭を構成する各人が順番に入浴していくことがある。このような場合、最初に入浴する人から最後に入浴する人までのいずれに対しても、身体への負担を軽減でき、高い快適感を提供できることが求められる。
【０００７】
この発明は、上記課題に鑑みてなされたものであり、その目的は、入浴時の快適性を向上させることができる風呂装置を提供することである。
【課題を解決するための手段】
【０００８】
この発明のある局面では、風呂装置は、浴室に設置された浴槽に接続され、循環路と、伝熱部と、ポンプと、入室センサと、入浴センサと、温度センサと、制御部とを備える。循環路は、浴槽に接続された状態で浴槽の湯水を循環させる。伝熱部は、熱媒体との間での熱交換によって、循環路を循環する湯水の温度を調整するように構成される。ポンプは、循環路に接続され、湯水を浴槽および伝熱部の間で循環するように構成される。入室センサは、浴室への入浴者の入室および退室を検知する。入浴センサは、入浴者の浴槽への入浴を検知する。温度センサは、浴槽の湯水の温度を検知する。制御部は、入室センサ、入浴センサおよび温度センサの検知信号に基づいて、伝熱部およびポンプを制御するように構成される。風呂装置では、設定温度よりも低い初期温度で浴槽への注湯運転が実行される。制御部は、入浴センサにより入浴者が入浴したことが検知されたときに、浴槽の湯水の温度を設定温度に上昇させるように、伝熱部およびポンプを制御する。さらに、制御部は、入室センサにより入浴者が浴室から退室したことが検知されたときに、熱媒体との間での熱交換によって、湯水を設定温度よりも低い温度に降温するように、伝熱部およびポンプを制御する。
【０００９】
上記風呂装置によれば、入浴者が浴室から退室した後に浴槽湯温を低下させることにより、次の入浴者が入浴したときの浴槽湯温を設定温度よりも低くすることができ、かつ、入浴後に浴槽湯温を設定温度まで昇温させることができる。したがって、当該次の入浴者に対しても、入浴までの一連の行動の中で生じる急激な温度変化による身体への負担を軽減することができ、快適感を与えることができる。この結果、入浴時の快適性を向上させることができる風呂装置を提供することができる。
【００１０】
上記風呂装置において好ましくは、制御部は、入室センサにより入浴者が浴室に入室したことが検知されたときの湯水の温度が初期温度であるように伝熱部およびポンプを制御する。制御部は、さらに、入室センサにより入浴者が浴室から退室したことが検知されたときには、湯水の温度を初期温度まで低下させるように、伝熱部およびポンプを制御する。
【００１１】
このように構成することにより、入浴者が浴室から退室した後に浴槽湯温を初期温度まで低下させることで、次の入浴者に対しても、入浴した後に浴槽湯温を初期温度から設定温度まで昇温させることができるため、入浴までの一連の行動の中で生じる急激な温度変化による身体への負担を軽減でき、快適感を与えることができる。
【００１２】
上記風呂装置において好ましくは、制御部は、湯水の温度を初期温度まで低下させた後に、入浴センサにより入浴者が入浴したことが検知されたときには、湯水の温度を初期温度から設定温度まで上昇させるように、伝熱部およびポンプを制御する。
【００１３】
このように構成することにより、次の入浴者が入浴した後に浴槽湯温を設定温度まで昇温させることができる。
【００１４】
上記風呂装置において好ましくは、入室センサにより入浴者が浴室から退室したことが検知された後に、湯水の温度が初期温度まで低下したことを報知するための報知部をさらに備える。
【００１５】
このような構成とすることにより、次の入浴者に対して、浴槽の湯水が入浴に好ましい適温になったことを報知することができる。
【００１６】
上記風呂装置において好ましくは、伝熱部は、燃料を燃焼させて燃焼ガスを発生する燃焼部と、燃焼部に空気を供給するファンと、燃焼ガスと浴槽の湯水との間で熱交換を行なう熱交換器とを含む。循環路は、熱交換器の入力端に接続される戻り配管と、熱交換器の出力端に接続される往き配管とを有する。制御部は、入室センサにより入浴者が浴室から退室したことが検知されたときに、燃焼部を停止状態とする一方で、ファンおよびポンプを作動させる。
【００１７】
このような構成とすることにより、入浴者が浴室から退室した後に浴槽湯温を速やかに低下させることができる。
【００１８】
上記風呂装置において好ましくは、伝熱部は、外部の暖房端末に供給される熱媒体を加熱する暖房運転を実行するように構成される。伝熱部は、熱媒体を加熱する加熱機構と、暖房運転時に、加熱機構によって加熱された熱媒体を暖房端末との間で循環するための暖房循環経路と、液体同士の熱交換のための一次側経路および二次側経路を有する熱交換器と、バイパス経路と、流量制御機構とを含む。バイパス経路は、暖房循環経路から分岐されて、熱媒体が暖房端末を経由せずに熱交換器の一次側経路を通流した後再び暖房循環経路に合流するように構成される。流量制御機構は、加熱機構によって加熱された熱媒体の全流量に対するバイパス経路へ供給される熱媒体の流量の比率である分配率を制御する。循環路は、二次側経路の入力側と接続される戻り配管と、二次側経路の出力側と接続される往き配管とを有する。加熱機構は、燃料を燃焼させて燃焼ガスを発生する燃焼部と、燃焼部に空気を供給するファンとを含む。制御部は、入室センサにより入浴者が浴室から退室したことが検知されたときには、ポンプおよびファンを作動させる一方で、燃焼部を停止状態とし、かつ、分配率を、熱媒体の全量がバイパス経路に供給される値に設定するように流量制御機構を制御する。
【００１９】
このような構成とすることにより、入浴者が浴室から退室した後に浴槽湯温を速やかに低下させることができる。
【発明の効果】
【００２０】
この発明によれば、入浴時の快適性を向上させることができる風呂装置を提供することができる。
【図面の簡単な説明】
【００２１】
【図１】本発明の実施の形態１に係る風呂装置の構成を示す概略図である。
【図２】図１に示すコントローラの構成を説明するための機能ブロック図である。
【図３】湯張り完了後の浴槽湯温の時間的変化を示す図である。
【図４】本実施の形態１に係る風呂装置における追焚運転および放熱運転の処理手順を説明するためのフローチャートである。
【図５】図４のステップＳ８０〜Ｓ１００による放熱運転を詳細に説明するためのフローチャートである。
【図６】本発明の実施の形態２に係る風呂装置の構成を示す概略図である。
【図７】本実施の形態２に係る風呂装置における追焚運転および放熱運転の処理手順を説明するためのフローチャートである。
【図８】図７のステップＳ８０〜Ｓ１００による放熱運転を詳細に説明するためのフローチャートである。
【発明を実施するための形態】
【００２２】
以下に、本発明の実施の形態について図面を参照して詳細に説明する。なお、以下では図中の同一または相当部分には同一符号を付して、その説明は原則的に繰返さないものとする。
【００２３】
［実施の形態１］
図１は、本発明の実施の形態１に係る風呂装置の構成を示す概略図である。
【００２４】
図１を参照して、実施の形態１に係る風呂装置３００は、熱源機１００を備える。風呂装置用浴槽（以下、単に「浴槽」と称す）２０は、浴室２００に設置され、かつ入浴者４０が入浴するための浴槽である。本実施の形態の熱源機１００は、浴槽２０に湯水２１を供給可能なものである。
【００２５】
熱源機１００は、筐体１、バーナ２（燃焼部）、ファン３、熱交換器４、給水配管５、給湯配管６、混合弁７、循環路８、温度センサ９、ポンプ１０、水位センサ１１、コントローラ１２、二方弁１３、電気配線１４、スイッチ１５、リモコン３０、および入室センサ３３を備える。
【００２６】
筐体１は、筐体１内外に連通するように設けられ、燃焼ガスを排気するための排気口１ａを有している。筐体１は、バーナ２、ファン３、熱交換器４、給水配管５、給湯配管６、混合弁７、温度センサ９、ポンプ１０、水位センサ１１、コントローラ１２および、二方弁１３を収容可能に構成されている。また、筐体１は、循環路８の一部を収容可能に構成されている。
【００２７】
バーナ２は、図示しない燃料供給系から燃料ガスの供給を受けて燃焼動作するように構成される。バーナ２は、燃焼ガスを熱交換器４に供給する。バーナ２は、給湯用のバーナ２ａと、追焚用のバーナ２ｂとを有する。
【００２８】
熱交換器４は、給湯用の熱交換器４ａと、追焚用の熱交換器４ｂとを有する。熱交換器４ａ，４ｂは、それぞれ、熱源機１００の高さ方向においてバーナ２ａ，２ｂよりも上方に配置されている。熱交換器４ａ，４ｂは、排気口１ａの近傍に配置されている。
【００２９】
熱交換器４ａは、バーナ２ａによって供給された燃焼ガスの熱を回収する。熱交換器４ｂは、バーナ２ｂによって供給された燃焼ガスの熱を回収する。熱交換器４ａ，４ｂの各々は、バーナ２の燃焼ガスの顕熱（燃焼熱）により入水を熱交換によって加熱する、一次熱交換器と、バーナ２からの燃焼排ガスの潜熱によって通流された水を熱交換によって加熱する、二次熱交換器とを含んでいてもよい。
【００３０】
熱交換器４ａの一方端に給水配管５が接続されており、他方端に給湯配管６が接続されている。給水配管５は、入水口５ａから熱交換器４ａに水道水等を給水する。給湯配管６は、熱交換器４ａから出湯口６ａに熱交換器４で加熱された湯水を給湯する。これにより、給水配管５から給水された水道水等は、熱交換器４ａによって所定温度（たとえば、ユーザによる設定温度）まで加熱されて給湯配管６から出湯される。給湯配管６に出湯された湯は、台所や浴室２００等の給湯栓（図示せず）または戻り配管８ａなどの所定の給湯箇所に給湯される。なお、給水配管５と給湯配管６とは混合弁７に接続されている。
【００３１】
ファン３は、バーナ２に燃焼用の空気を供給する。ファン３は、バーナ２ａに燃焼用の空気を供給するファン３ａと、バーナ２ｂに燃焼用の空気を供給するファン３ｂとを有する。ファン３ａ，３ｂの各々は、羽根と、羽根を回転させるためのモータとを有する。モータに電流が印加されることにより羽根が回転して燃焼用の空気を供給するように構成されている。ファン３ａ，３ｂは、それぞれ、熱源機１００の高さ方向においてバーナ２ａ，２ｂの下方に配置されている。
【００３２】
循環路８は、浴槽２０に接続された状態で浴槽２０の湯水２１を循環するためのものであり、戻り配管８ａおよび往き配管８ｂを有する。戻り配管８ａは熱交換器４ｂの入力側と接続されており、往き配管８ｂは熱交換器４ｂの出力側と接続されている。
【００３３】
戻り配管８ａは、浴槽２０から熱交換器４ｂに湯水２１を供給する。往き配管８ｂは、熱交換器４ｂから浴槽２０に、熱交換器４ｂで暖められた湯水２１を供給する。これにより、浴槽２０から熱交換器４ｂに供給された湯水２１は、熱交換器４ｂを通流する際に燃焼ガスによって加熱されて再び浴槽２０に供給される。
【００３４】
戻り配管８ａには、温度センサ９、ポンプ１０および水位センサ１１が接続されている。戻り配管８ａと給湯配管６とは二方弁１３に接続されている。二方弁１３は、給湯配管６から湯水を戻り配管８ａに供給するように構成されている。二方弁１３を開くことにより、給湯配管６から戻り配管８ａを経由して、所定温度に加熱された湯が浴槽２０に導入される。
【００３５】
温度センサ９は、循環路８内の湯水２１の温度を検知することによって、浴槽２０内の湯水２１の温度（以下、浴槽湯温とも称する）を検知する。温度センサ９は、たとえばサーミスタである。
【００３６】
ポンプ１０は、浴槽２０および循環路８に湯水を循環させる。ポンプ１０が作動すると、浴槽２０からの湯水２１は、戻り配管８ａ、熱交換器４ｂおよび往き配管８ｂを経由して、浴槽２０へ至る経路を循環する。これにより、浴槽２０と熱交換器４ｂとの間に湯水２１を循環ざせる追焚循環経路が形成される。
【００３７】
水位センサ１１は、循環路８を循環する湯水２１の水圧に基づいて、浴槽２０の湯水２１の水位を検知する。水位センサ１１は、たとえば圧力センサである。本実施の形態では、後述するように、水位センサ１１は、入浴者４０が入浴したことを検知するための入浴センサを兼ね備えている。
【００３８】
コントローラ１２は、リモコン３０からのユーザ等の入力設定操作に基づき、風呂装置３００がユーザ指示に従って運転されるように、熱源機１００の動作を制御する。たとえば、コントローラ１２は、マイクロコンピュータおよびメモリを含んで構成することができる。
【００３９】
コントローラ１２は、バーナ２ａ，２ｂ、ファン３ａ，３ｂ、温度センサ９、ポンプ１０、水位センサ１１、二方弁１３、電気配線１４、スイッチ１５およびリモコン３０に電気的に接続されている。電気配線１４は、図示しない電源に接続されることにより、コントローラ１２に電力を供給するように構成されている。
【００４０】
スイッチ１５は、水位センサ１１を駆動させる。入室センサ３３が入浴者４０が浴室２００に入室したことを検知した場合にスイッチ１５が導通（オン）状態にされ、入室センサ３３が入浴者４０が浴室２００から退室したことを検知した場合にスイッチ１５が遮断（オフ）状態にされるように構成されている。水位センサ１１は、スイッチ１５がオン状態のときに駆動されて浴槽２０の湯水２１の水位を検知し、検知した水位を示す信号をコントローラ１２に出力する。
【００４１】
リモコン３０は、浴室２００に設置されており、熱源機１００を操作するためのものである。リモコン３０は、情報を表示するための表示部３１と、ユーザ等の入力設定操作を受け付けるための操作部３２とを含む。表示部３１は、浴槽２０の湯水２１の水位および温度を表示可能に構成されている。操作部３２は、浴槽２０の湯水２１の水位および温度に関する設定操作を受け付け可能に構成されている。
【００４２】
入室センサ３３は、たとえば、リモコン３０のケースに設けられている。入室センサ３３は、入浴者４０が浴室２００に入室したことを検知するように構成されている。入室センサ３３は、たとえば赤外線センサである。入室センサ３３は、赤外線センサに限定されず、たとえば、電波センサおよび超音波センサであってもよい。
【００４３】
また、入室センサ３３は、たとえば、浴室２００の天井に設置された浴室暖房機（図示せず）のケースに設けられてもよい。あるいは、入室センサ３３は、たとえば、浴室２００の照明のスイッチのように、入室時に入浴者４０が操作するスイッチであってもよい。
【００４４】
図２は、図１に示すコントローラ１２の構成を説明するための機能ブロック図である。
図２を参照して、コントローラ１２は、入室判定部１２０、水位判定部１２２、温度判定部１２４および、制御部１２６を備える。
【００４５】
入室判定部１２０は、入室センサ３３から送信される検知信号に基づいて、浴室２００に入浴者４０が入室したか、あるいは浴室２００から入浴者４０が退室したかを判定する。たとえば、入室センサ３３が赤外線センサである場合には、入室判定部１２０は、周囲の温度状況から温度変化があったときに入浴者４０が入室したものと判定する。また、入室判定部１２０は、所定時間継続して温度変化がない場合に入浴者４０が退室したものと判定する。
【００４６】
または、入室センサ３３が電波センサである場合には、入室判定部１２０は、電波センサの出力電圧が変化したときに入浴者４０が入室したものと判定する。また、入室判定部１２０は、所定時間継続して出力電圧の変化がない場合に入浴者４０が退室したものと判定する。
【００４７】
あるいは、入室センサ３３が超音波センサである場合には、入室判定部１２０は、超音波センサの出力電圧が変化したときに入浴者４０が入室したものと判定する。また、入室判定部１２０は、所定時間継続して出力電圧の変化がない場合に入浴者４０が退室したものと判定する。
【００４８】
水位判定部１２２は、水位センサ１１から送信される検知信号に基づいて、入浴者４０が浴槽２０に入ったか（入浴したか）、あるいは、入浴者４０が浴槽２０から出たか（退浴したか）を判定する。水位判定部１２２は、浴槽２０に対する注水等が無いにもかかわらず、水位センサ１１が浴槽２０の水位の上昇を検知した場合、入浴者４０が浴槽２０に入った（すなわち、入浴者４０が入浴した）と判定する。また、入浴者４０が入浴したと判定した後に、水位センサ１１が浴槽２０の水位の低下を検知した場合、入浴者４０が浴槽２０から出た（すなわち、入浴者４０が退浴した）と判定する。
【００４９】
温度判定部１２４は、温度センサ９により検知される戻り配管８ａを流れる湯水２１の温度に基づいて、浴槽２０の湯水２１の温度（浴槽湯温）を判定する。
【００５０】
制御部１２６は、入室判定部１２０、水位判定部１２２および温度判定部１２４における判定結果に基づいて、二方弁１３、バーナ２ａ，２ｂ、ファン３ａ，３ｂおよびポンプ１０の動作を制御する。具体的には、制御部１２６は、水位判定部１２２で判定される浴槽２０の水位が設定水位になるように二方弁１３を動作させて給湯配管６から湯水２１を浴槽２０に供給する。
【００５１】
また、制御部１２６は、水位判定部１２２で入浴者４０の入浴が判定されたことに基づいて、温度判定部１２４で判定される浴槽湯温が設定温度Ｔ＊になるようにバーナ２ａ、ファン３ａおよびポンプ１０を動作させて湯水２１を加熱する。
【００５２】
また、制御部１２６は、入室判定部１２０で入浴者４０の浴室２００からの退室が判定されたことに基づいて、バーナ２ａを停止させるとともに、ファン３ａおよびポンプ１０を作動させて湯水２１を放熱させることにより、浴槽湯温を初期温度Ｔ♯まで低下させる。
【００５３】
次に、図１に示した風呂装置３００の動作について説明する。
まず、通常の給湯運転について説明する。給湯運転は、図示しない給湯栓が開かれることにより、最低作動流量以上の通水流量が、給水配管５に配された流量センサ（図示せず）により検知されることによって開始される。給湯運転が開始されると、バーナ２ｂの燃焼制御と、混合弁７による高温水および低温水の混合比率制御とによって、リモコン３０により設定された設定給湯温度と出湯温度が同等となるように、熱源機１００が動作する。
【００５４】
また、リモコン３０から「風呂湯張り」が指示されると、二方弁１３が開かれることにより、浴槽２０への給湯運転が実行される。以下では、浴槽２０への給湯運転について、給湯栓からの給湯運転と区別するために、特に「注湯運転」とも称する。あるいは、「風呂自動モード」が指示された場合には、初期の湯張りのため、または、一定水位を維持するために注湯運転が実行される。風呂自動モードでは、湯張り完了後の浴槽２０の湯水２１は、一定温度に自動的に保温される。
【００５５】
なお、本実施の形態１に係る風呂装置３００は、湯張り後の浴槽２０の湯水２１の目標温度として、リモコン３０からのユーザ等の入力設定操作に基づいた「設定温度Ｔ＊」と、設定温度Ｔ＊よりも低い「初期温度Ｔ♯」とを有している。初期温度Ｔ♯は、たとえば、設定温度Ｔ＊よりも２℃程度低い温度に設定されている。注湯運転において、湯張り完了後の浴槽２０の湯水２１は、初期温度Ｔ♯に保温される。そして、後述するように、入浴者４０の入浴検知後に実行される追焚運転によって、浴槽２０の湯水２１は初期温度Ｔ♯から設定温度Ｔ＊まで昇温される。
【００５６】
注湯運転時には、給湯配管６から分岐供給される湯（高温水および低温水の混合）が、循環路８を経由して、浴槽２０に注湯される。注湯運転は、水位センサ１１の検知信号に基づいて、浴槽２０の水位が設定水位になるまで継続される。
【００５７】
なお、注湯運転時には、ポンプ１０が停止された状態で、給湯配管６からの湯が二方弁１３を経て循環路８上の合流点８ｃに供給される。このため、合流点８ｃから戻り配管８ａを逆流して浴槽２０へ至る経路と、合流点８ｃから熱交換器４ｂおよび往き配管８ｂを経由して浴槽２０へ至る経路との両方から、浴槽２０への注湯が行なわれる。
【００５８】
追焚運転は、湯張り完了後の初期温度Ｔ♯までの自動沸上げ、入浴者４０の入浴検知後の設定温度Ｔ＊までの自動沸上げ、浴槽２０の湯水２１を一定温度（設定温度Ｔ＊または初期温度Ｔ♯）に保温するための自動沸上げ、あるいはユーザからの追焚指令に基づく沸上げ等により開始される。追焚運転では、ポンプ１０が作動することにより、浴槽２０の湯水２１が循環路８を循環する。さらに、バーナ２ａの燃焼制御により、循環水は、温度センサ９による検知信号に基づき、所定温度（設定温度Ｔ＊または初期温度Ｔ♯）まで上昇させた上で浴槽２０に再度供給される。
【００５９】
放熱運転は、浴室２００からの入浴者４０の退室が検知されたときに開始される。放熱運転では、ポンプ１０が作動することにより、浴槽２０の湯水２１が循環路８を循環する。さらに、バーナ２ａを停止させた状態でファン３ａが作動することにより、循環水は、温度センサ９による検知信号に基づき、設定温度Ｔ＊から初期温度Ｔ♯まで降温する。
【００６０】
次に、図３を参照して、本実施の形態１に係る風呂装置３００における追焚運転および放熱運転について説明する。
【００６１】
図３は、湯張り完了後の浴槽湯温の時間的変化を示す図である。以下の説明では、湯張り完了後の最初の入浴者４０を「第１入浴者」と称し、２番目の入浴者４０を「第２入浴者」と称する。
【００６２】
図３を参照して、注湯運転が実行されることにより、時刻ｔ０にて初期の湯張りが完了したものとする。湯張り完了後に追焚運転による自動沸上げが行なわれることにより、浴槽湯温は初期温度Ｔ♯まで上昇する。さらに、時刻ｔ０以降は、浴槽湯温は初期温度Ｔ♯に保温するための追焚運転が実行される。
【００６３】
時刻ｔ０より後の時刻ｔ１にて、入室センサ３３からの検知信号に基づいて、第１入浴者４０の浴室２００への入室が検知されたものとする。さらに、時刻ｔ１に続く時刻ｔ２にて、水位センサ１１からの検知信号に基づいて、第１入浴者４０が入浴したことが検知される。
【００６４】
時刻ｔ２にて第１入浴者４０の入浴が検知されると、浴槽湯温が設定温度Ｔ＊となるように追焚運転が実行される。コントローラ１２の制御部１２６は、ポンプ１０を作動させることにより、浴槽２０の湯水２１を循環路８に循環させる。制御部１２６は、また、バーナ２ａの燃焼制御とともに、ファン３ａを作動させることにより、浴槽湯温を初期温度Ｔ♯から設定温度Ｔ＊まで上昇させる。
【００６５】
このような追焚運転によって時刻ｔ３にて浴槽湯温が上昇し、設定温度Ｔ＊に到達すると、風呂装置３００は、浴槽湯温を設定温度Ｔ＊まで昇温するための追焚運転から、浴槽２０の湯水２１を設定温度Ｔ＊に保温するための追焚運転に切り替えられる。
【００６６】
このように、設定温度Ｔ＊よりも低い初期温度Ｔ♯で湯張りを行ない、第１入浴者４０が入浴した後に浴槽湯温を設定温度Ｔ＊まで昇温することにより、部屋から脱衣場、その後の入浴といった入浴までの一連の行動の中で生じる急激な温度変化による、入浴者の身体への負担を軽減することができる。したがって、第１入浴者４０に快適感を与えることができる。
【００６７】
次に、時刻ｔ４にて、入室センサ３３からの検知信号に基づいて、浴室２００からの第１入浴者４０の退室が検知されると、放熱運転が開始される。放熱運転では、温度センサ９による検知信号に基づいて、浴槽湯温を設定温度Ｔ＊から初期温度Ｔ♯まで低下させる。コントローラ１２の制御部１２６は、ポンプ１０を作動させることにより、浴槽２０の湯水２１を循環路８に循環させる。制御部１２６は、また、バーナ２ａを停止状態とするとともに、ファン３ａを作動させることにより、浴槽湯温を設定温度Ｔ＊から初期温度Ｔ♯まで低下させる。
【００６８】
放熱運転によって時刻ｔ５にて浴槽湯温が低下し、初期温度Ｔ♯に到達すると、風呂装置３００は、放熱運転から、浴槽湯温を初期温度Ｔ♯に保温するための追焚運転に切り替えられる。時刻ｔ５では、浴槽湯温が初期温度Ｔ♯まで低下したことを第２入浴者４０に対して報知するようにしてもよい。たとえば、リモコン３０の表示部３１または音声によって報知することができる。これにより、第２入浴者４０は、浴槽湯温が入浴に適した温度になったことを知ることができる。
【００６９】
時刻ｔ５より後の時刻ｔ６にて、入室センサ３３からの検知信号に基づいて、第２入浴者４０の浴室２００への入室が検知されたものとする。さらに、時刻ｔ６に続く時刻ｔ７にて、水位センサ１１からの検知信号に基づいて、第２入浴者４０が入浴したことが検知されたものとする。
【００７０】
時刻ｔ７にて第２入浴者４０の入浴が検知されると、浴槽湯温が設定温度Ｔ＊となるように追焚運転が実行される。コントローラ１２の制御部１２６は、ポンプ１０を作動させるとともに、バーナ２ａの燃焼制御を行なうことにより、浴槽湯温を初期温度Ｔ♯から設定温度Ｔ＊まで上昇させる。
【００７１】
時刻ｔ７より後の時刻ｔ８にて浴槽湯温が設定温度Ｔ＊に到達すると、風呂装置３００は、浴槽２０の湯水２１を設定温度Ｔ＊まで昇温するための追焚運転から、浴槽２０の湯水２１を設定温度Ｔ＊に保温するための追焚運転に切り替えられる。
【００７２】
このように、第１入浴者４０が浴室２００から退室した後に浴槽湯温を初期温度Ｔ♯まで低下させることにより、第１入浴者４０と同様に、第２入浴者４０が入浴した後に浴槽湯温を設定温度Ｔ＊まで昇温させることができる。したがって、第２入浴者４０に対しても、入浴までの一連の行動の中で生じる急激な温度変化による身体への負担を軽減することができる。この結果、第２入浴者４０にも快適感を与えることができる。
【００７３】
なお、図示は省略するが、第２入浴者４０以降の入浴者４０についても、入浴者４０が浴室２００から退室した後に放熱運転を実行することにより、浴槽湯温を初期温度Ｔ♯まで低下させる。これにより、第３入浴者４０以降の入浴者４０に対しても快適感を与えることができる。
【００７４】
図４は、本実施の形態１に係る風呂装置３００における追焚運転および放熱運転の処理手順を説明するためのフローチャートである。図４に示す処理は、コントローラ１２によって繰り返し実行することができる。
【００７５】
図４を参照して、コントローラ１２は、ステップＳ１０により、注湯運転による湯張りが完了したか否かを判定する。たとえば、水位センサ１１の検知信号に基づいて、浴槽２０の水位が設定水位に到達したと判定され、かつ、温度センサ９の検知信号に基づいて、浴槽湯温が初期温度Ｔ♯に到達したと判定されると、ステップＳ１０はＹＥＳ判定とされる。一方で、浴槽２０の水位が設定水位に到達していない、または、浴槽湯温が初期温度Ｔ♯に到達していないと判定された場合には、ステップＳ１０はＮＯ判定とされて、以降の処理は実行されない。
【００７６】
コントローラ１２は、湯張りが完了すると（Ｓ１０のＹＥＳ判定時）、ステップＳ２０により、入室センサ３３の検知信号に基づいて、入浴者４０が浴室２００に入室したか否かを判定する。入浴者４０の入室が検知されるまで（Ｓ２０のＮＯ判定時）、ステップＳ３０以降の処理は実行されない。
【００７７】
コントローラ１２は、入浴者４０の入室が検知されると（Ｓ２０のＹＥＳ判定時）、ステップＳ３０により、水位センサ１１の検知信号に基づいて、入浴者４０が入浴したか否かを判定する。入浴者４０の入浴が検知されるまで（Ｓ３０のＮＯ判定時）、ステップＳ４０以降の処理は実行されない。
【００７８】
コントローラ１２は、入浴者４０の入浴が検知されると（Ｓ３０のＹＥＳ判定時）、ステップＳ４０により、浴槽湯温を設定温度Ｔ＊に昇温するための追焚運転を実行する。コントローラ１２は、ポンプ１０を作動させるとともに、バーナ２ａの燃焼制御を実行することにより、循環路８を循環する浴槽２０の湯水２１を加熱する。
【００７９】
追焚運転（Ｓ４０）の開始後、コントローラ１２は、ステップＳ５０により、浴槽湯温が設定温度Ｔ＊に到達したか否かを判定する。ステップＳ５０は、浴槽湯温が設定温度Ｔ＊に到達するとＹＥＳ判定され、それまでの間ＮＯ判定に維持されて追焚運転（Ｓ４０）が実行される。
【００８０】
コントローラ１２は、浴槽湯温が設定温度Ｔ＊に到達すると（Ｓ５０のＹＥＳ判定時）、ステップＳ６０により、追焚運転を停止する。なお、ステップＳ６０以降は、浴槽２０の湯水２１を設定温度Ｔ＊に保温するための追焚運転が実行される。
【００８１】
コントローラ１２は、ステップＳ７０により、入室センサ３３の検知信号に基づいて、入浴者４０が浴室２００から退室したか否かを判定する。入浴者４０の退室が検知されるまで（Ｓ７０のＮＯ判定時）、ステップＳ８０以降の処理が実行されない。
【００８２】
コントローラ１２は、入浴者４０の退室が検知されると（Ｓ７０のＹＥＳ判定時）、ステップＳ８０により、浴槽湯温を初期温度Ｔ♯に降温するための放熱運転を実行する。放熱運転（Ｓ８０）の開始後、コントローラ１２は、ステップＳ９０により、浴槽湯温が初期温度Ｔ♯に到達したか否かを判定する。ステップＳ９０は、浴槽湯温が初期温度Ｔ♯に到達するとＹＥＳ判定され、それまでの間ＮＯ判定に維持されて放熱運転（Ｓ８０）が実行される。
【００８３】
コントローラ１２は、浴槽湯温が初期温度Ｔ♯に到達すると（Ｓ９０のＹＥＳ判定時）、ステップＳ１００により、放熱運転を停止する。このとき、浴槽湯温が初期温度Ｔ♯まで低下したことを第２入浴者４０に対して報知するようにしてもよい。なお、ステップＳ１００以降は、浴槽２０の湯水２１を初期温度Ｔ♯に保温するための追焚運転が実行される。
【００８４】
図５は、図４のステップＳ８０〜Ｓ１００による放熱運転を詳細に説明するためのフローチャートである。
【００８５】
図５を参照して、コントローラ１２は、入浴者４０の退室が検知されると（Ｓ７０のＹＥＳ判定時）、ステップＳ８１により、ポンプ１０を作動させて、循環路８に浴槽２０の湯水２１を循環させる。コントローラ１２は、ステップＳ８２に進み、バーナ２ａを停止させる。なお、バーナ２ａが停止状態であれば、ステップＳ８２の処理はスキップされる。コントローラ１２は、さらに、ステップＳ８３により、ファン３ａを作動させる。
【００８６】
循環路８を循環する湯水２１が放熱されることにより、浴槽湯温が初期温度Ｔ♯に到達すると（Ｓ９０のＹＥＳ判定時）、コントローラ１２は、ステップＳ１０１により、ポンプ１０を停止させる。コントローラ１２は、さらに、ステップＳ１０２により、ファン３ａを停止させる。これにより、風呂装置３００は放熱運転を停止する。
【００８７】
このように、本実施の形態１に係る風呂装置によれば、入浴者が浴室から退室した後に浴槽湯温を初期温度Ｔ♯まで低下させることにより、次の入浴者が入浴した後に浴槽湯温を初期温度Ｔ♯から設定温度Ｔ＊まで昇温させることができる。したがって、当該次の入浴者に対しても、入浴までの一連の行動の中で生じる急激な温度変化による身体への負担を軽減することができ、快適感を与えることができる。この結果、入浴時の快適性を向上させることができる風呂装置を提供することができる。
【００８８】
［実施の形態２］
実施の形態２および３では、本発明に係る風呂装置の他の構成例について説明する。
【００８９】
図６は、本発明の実施の形態２に係る風呂装置の構成を示す概略図である。
図６を参照して、実施の形態２に係る風呂装置３１０は、図１に示した実施の形態１に係る風呂装置３００と比較して、熱源機１００に代えて熱源機１１０を備える点で異なる。熱源機１１０では、入力端５ｂおよび出力端６ｂを介して、暖房端末１１２へ熱媒体を供給することによって暖房機能が実現される。熱媒体は、熱交換器４でバーナ２の燃焼熱によって加熱された高温水である。
【００９０】
熱源機１１０は、筐体１、バーナ２、ファン３、熱交換器４，１８、配管５Ａ，６Ａ，１６Ａ〜１６Ｃ、循環路８、分配弁１７、温度センサ９、ポンプ１０（追焚用ポンプ）、ポンプ１９（暖房用ポンプ）、水位センサ１１、コントローラ１２Ａ、電気配線１４、スイッチ１５、リモコン３０、および入室センサ３３を備える。
【００９１】
暖房端末１１２を通流した熱媒体が入力される入力端５ｂは、配管５Ａによって、熱交換器４の入力側と接続される。熱交換器４の出力側は配管１６Ａと接続される。配管１６Ａは分配弁１７を経由して配管６Ａおよび配管１６Ｂと接続される。配管６Ａは、暖房端末１１２に対して熱媒体を出力するための出力端６ｂと接続される。配管１６Ｂは、熱交換器１８の一次側経路１８ａの入力側と接続される。熱交換器１８の一次側経路１８ａの出力側は、配管１６Ｃによって、配管５Ａと接続される。
【００９２】
分配弁１７は、コントローラ１２によって開度が制御される。分配弁１７の開度に応じて、配管１６Ａから配管６Ａへの経路の流量と、配管１６Ａから配管１６Ｂへの経路の流量との比率を制御することができる。
【００９３】
配管５Ａ、熱交換器４、配管１６Ａ、分配弁１７および配管６Ａは、暖房端末１１２との間で熱媒体を循環するための暖房循環経路を形成する。熱媒体を暖房端末１１２に供給することにより、暖房端末１１２が配置された空間（室内）を暖房することができる。
【００９４】
分配弁１７によって熱媒体を配管１６Ｂに導入することにより、熱交換器４によって加熱された熱媒体について、暖房循環経路から分岐されたバイパス経路を形成することができる。当該バイパス経路は、配管１６Ｂ、熱交換器１８の一次側経路１８ａおよび配管１６Ｃを含む。バイパス経路を通流する熱媒体は、暖房端末１１２を経由せずに、熱交換器１８を通流した後、配管１６Ｃおよび５Ａの接続点５Ｂにおいて、暖房循環経路に合流する。
【００９５】
ポンプ１９（暖房用ポンプ）は、配管５Ａにおいて、上記接続点５Ｂよりも下流側（熱交換器４側）に配置される。したがって、ポンプ１９を作動すれば、暖房循環経路が形成されていなくても、熱媒体を熱交換器４および１８を通流させるための上記バイパス経路を形成することができる。
【００９６】
なお、分配弁１７の開度によって、熱交換器４で加熱された熱媒体について、暖房循環経路への供給流量と、バイパス経路への供給流量との比率を制御することができる。以下では、熱交換器４から出力された熱媒体の全流量に対する、バイパス経路へ供給される流量の比率を分配率ｋｄとも称する。分配率ｋｄは、ｋｄ＝０（すなわち、熱媒体の全量が暖房循環経路を通流）からｋｄ＝１．０（すなわち、熱媒体の全量がバイパス経路を通流）までの間に制御される（０≦ｋｄ≦１．０）。すなわち、分配弁１７は「流量制御機構」の一実施例に対応する。
【００９７】
次に、風呂装置３１０の追焚機能に関連する、熱交換器１８の二次側経路１８ｂと接続される構成について説明する。
【００９８】
循環路８の戻り配管８ａは、熱交換器１８の二次側経路１８ｂの入力側と接続される。循環路８の往き配管８ｂは、熱交換器１８の二次側経路１８ｂの出力側と接続される。熱交換器１８では、一次側経路１８ａを通流する熱媒体の熱量によって、二次側経路１８ｂを通流する湯水２１（低温水）が加熱される。この結果、二次側経路１８ｂから往き配管８ｂへ高温水が出力される。
【００９９】
コントローラ１２Ａは、リモコン３０からのユーザ等の入力設定操作に基づき、熱源機１１０がユーザ指示に従って動作するために、ポンプ１０，１９の動作および停止を制御する信号、分配弁１７の開度を制御する信号、バーナ２の発生熱量を制御するための信号、およびファン３の動作および停止を制御する信号を出力する。たとえば、コントローラ１２Ａは、マイクロコンピュータおよびメモリを含んで構成することができる。
【０１００】
コントローラ１２は、バーナ２、ファン３、温度センサ９、ポンプ１０，１９、水位センサ１１、分配弁１７、電気配線１４、スイッチ１５およびリモコン３０に電気的に接続されている。電気配線１４は、図示しない電源に接続されることにより、コントローラ１２Ａに電力を供給するように構成されている。
【０１０１】
次に、図６に示した風呂装置３１０の動作について説明する。
まず、暖房運転について説明する。暖房運転では、ポンプ１９の作動によって上述した暖房循環経路が形成された状態でバーナ２が作動することによって、熱交換器４を通流する熱媒体が加熱される。暖房運転では、熱交換器４で加熱された熱媒体の全量が暖房循環経路を形成するように、分配弁１７の開度は、分配率が０となるように制御される（ｋｄ＝０）。
【０１０２】
追焚運転は、浴槽２０の湯水２１を初期温度Ｔ♯までの自動沸上げ、入浴者４０の入浴検知後の設定温度Ｔ＊までの自動沸上げ、浴槽２０の湯水２１を一定温度（設定温度Ｔ＊または初期温度Ｔ♯）に保温するための自動沸上げ、あるいはユーザからの追焚指令に基づく沸上げ等により開始される。
【０１０３】
追焚運転では、バイパス経路に熱媒体を通流するために、ポンプ１９が作動される。追焚運転では、暖房端末１１２への熱媒体の供給は不要であるため、熱交換器４で加熱された熱媒体の全量が追焚循環経路を形成するように、分配弁１７の開度は、分配率が１．０となるように制御される（ｋｄ＝１．０）。
【０１０４】
さらに、ポンプ１０が作動することにより、浴槽２０の湯水２１が循環路８を循環する。熱交換器１８の二次側経路１８ｂに導入された循環水が加熱されることにより、循環水は、所定温度（初期温度Ｔ♯または設定温度Ｔ＊）まで上昇させた上で浴槽２０に再度供給される。
【０１０５】
暖房および追焚の同時運転時には、暖房循環経路およびバイパス経路の両方に熱媒体を通流させる必要がある。したがって、分配弁１７の開度は、予めされた比率ｋｄに設定される。０＜ｋｄ＜１．０であるので、暖房端末１１２への熱媒体の供給、および、熱交換器１８への熱媒体の供給の両方が実現される。ポンプ１０が作動することにより、浴槽２０の湯水２１が循環路８を循環し、熱交換器１８の二次側経路１８ｂに導入される。熱交換器１８で熱媒体の熱量によって循環水が加熱されることにより、循環水は、所定温度（初期温度Ｔ♯または設定温度Ｔ＊）まで上昇させた上で浴槽２０に再度供給される。
【０１０６】
放熱運転は、浴室２００からの入浴者４０の退室が検知されたときに開始される。放熱運転では、ポンプ１０が作動することにより、浴槽２０の湯水２１が循環路を循環する。熱交換器１８では、二次側経路１８ｂに導入された循環水の熱量が一次側経路１８ａを通流する熱媒体に伝達されることにより、湯水２１が放熱する。循環水は、温度センサ９による検知信号に基づき、設定温度Ｔ＊から初期温度Ｔ♯まで低下させた上で浴槽２０に再度供給される。
【０１０７】
ここで、暖房運転中に放熱運転を実行する場合には、暖房循環経路およびバイパス経路の両方に熱媒体を通流させるために、分配弁１７の開度は、分配率が０＜ｋｄ＜１．０となるように設定される。一方、追焚運転から放熱運転に遷移する場合には、暖房循環経路への熱媒体の供給は引き続き不要であるため、分配弁１７の開度は、分配率が１．０に維持される（ｋｄ＝１．０）。
【０１０８】
これにより、放熱運転中において、熱交換器１８への熱媒体の供給が実現される。ただし、熱交換器１８で循環水を放熱させるためには、熱交換器１８の一次側経路１８ａを通流する熱媒体が循環水よりも低温である必要がある。
【０１０９】
そこで、放熱運転では、コントローラ１２Ａは、ポンプ１０の作動を開始した時点からの温度センサ９からの検知信号の勾配に基づいて、湯水２１が降温する傾向にあるか否かを判定する。湯水２１が降温傾向にある場合には、コントローラ１２Ａは、熱交換器１８の一次側経路１８ａを通流する熱媒体が湯水２１よりも低温であるため、熱交換器１８にて湯水２１の放熱が行なわれていると判定する。したがって、湯水２１が初期温度Ｔ♯に到達するまでポンプ１０の作動を継続させる。
【０１１０】
これに対して、湯水２１が降温傾向にない場合には、コントローラ１２Ａは、熱交換器１８の一次側経路１８ａを通流する熱媒体が湯水２１よりも高温もしくは等温であるため、熱交換器１８にて湯水２１の放熱が行なわれていないと判定する。この場合、コントローラ１２Ａは、バーナ２を停止状態とするとともに、バーナ２を停止させた状態でファン３およびポンプ１９を作動することにより、熱媒体を降温させる。コントローラ１２Ａは、さらに、分配弁１７の開度を、分配率が１．０となるように制御する（ｋｄ＝１．０）。すなわち、暖房循環経路への熱媒体の供給を停止する。
【０１１１】
このようにすると、放熱運転中、熱交換器４で放熱された熱媒体の全量がバイパス経路を通流し、熱交換器１８の一次側経路１８ａに導入される。したがって、暖房端末１１２には、放熱された熱媒体が供給されないため、暖房運転が一時的に停止することとなる。ただし、放熱運転中に、降温した熱媒体が暖房端末１１２に供給されることによって暖房機能が低下するという弊害を回避することができる。
【０１１２】
浴槽湯温が初期温度Ｔ♯に到達すると、コントローラ１２Ａは、再びバーナ２を作動するとともに、分配弁１７の開度を、分配率が０となるように制御する（ｋｄ＝０）。これにより、暖房循環経路が再び形成されて、暖房運転が再開される。
【０１１３】
図７は、本実施の形態２に係る風呂装置３１０における追焚運転および放熱運転の処理手順を説明するためのフローチャートである。図７に示す処理は、コントローラ１２Ａによって繰り返し実行することができる。
【０１１４】
図７を図４と比較して、図７に示されるフローチャートにおいては、図４のステップＳ１０が、ステップＳ１１，１２に置き換えられている点で異なる。ステップＳ２０以降は図４に示されたフローチャートと同様であるので、詳細な説明は繰返さない。
【０１１５】
図７を参照して、コントローラ１２Ａは、ステップＳ１１により、風呂装置３１０が追焚運転中であるか否かを判定する。追焚運転中でないと判定された場合には、ステップＳ１１はＮＯ判定とされて、以降の処理は実行されない。
【０１１６】
風呂装置３１０が追焚運転中であると判定されると（Ｓ１１のＹＥＳ判定時）、コントローラ１２Ａは、ステップＳ１２により、温度センサ９の検知信号に基づいて、浴槽湯温が初期温度Ｔ♯に到達したか否かを判定する。ステップＳ１２は、浴槽湯温が初期温度Ｔ♯に到達するとＹＥＳ判定され、それまでの間ＮＯ判定に維持されて追焚運転（Ｓ１１）が実行される。浴槽湯温が初期温度Ｔ♯に到達すると（Ｓ１２のＹＥＳ判定時）、図４と同様のステップＳ２０〜Ｓ１００の処理が実行される。
【０１１７】
図８は、本実施の形態２に係る風呂装置３１０における放熱運転の処理手順を説明するためのフローチャートである。図８に示す処理は、図７のステップＳ８０〜Ｓ１００による放熱運転として、コントローラ１２Ａによって実行することができる。
【０１１８】
図８を参照して、コントローラ１２Ａは、入浴者４０の退室が検知されると（Ｓ７０のＹＥＳ判定時）、ステップＳ８４により、ポンプ１０（追焚用ポンプ）を作動させて、循環路８に浴槽２０の湯水２１を循環させる。
【０１１９】
コントローラ１２Ａは、ステップＳ８５に進み、温度センサ９の検知信号に基づいて、浴槽湯温が降温傾向にあるか否かを判定する。たとえば、コントローラ１２Ａは、ポンプ１０の作動を開始した時点以降の浴槽湯温の勾配が負である場合、浴槽湯温が降温傾向にあると判定する。
【０１２０】
浴槽湯温が降温傾向にあるとき（Ｓ８５のＹＥＳ判定時）、コントローラ１２Ａは、ステップＳ９０に進み、浴槽湯温が初期温度Ｔ♯に到達したか否かを判定する。ステップＳ９０は、浴槽湯温が初期温度Ｔ♯に到達するとＹＥＳ判定され、それまでの間ＮＯ判定に維持されて放熱運転（Ｓ８４）が実行される。浴槽湯温が初期温度Ｔ♯に到達すると（Ｓ９０のＹＥＳ判定時）、コントローラ１２Ａは、ステップＳ１０６により、ポンプ１０を停止させる。これにより、風呂装置３１０は放熱運転を停止する。
【０１２１】
一方、浴槽湯温が降温傾向にないときには（Ｓ８５のＮＯ判定時）、コントローラ１２Ａは、ステップＳ８６により、バーナ２を停止させる。なお、バーナ２が停止状態であれば、ステップＳ８６の処理はスキップされる。コントローラ１２Ａは、さらに、ステップＳ８７により、ファン３を作動させるとともに、ステップＳ８８により、ポンプ１９（暖房用ポンプ）を作動させる。
【０１２２】
コントローラ１２Ａは、さらにステップＳ８９に処理を進めて、分配率ｋｄ＝１．０となるように、分配弁１７の開度を制御する。すなわち、分配弁１７の開度は、熱媒体の全量がバイパス経路を通流するように制御される。バイパス経路を通流する熱媒体が降温することで、熱交換器１８の二次側経路１８ｂに導入された湯水２１が放熱する。
【０１２３】
浴槽湯温が初期温度Ｔ♯に到達すると（Ｓ９０のＹＥＳ判定時）、コントローラ１２Ａは、ステップＳ１０４により、バーナ２を作動させる。コントローラ１２Ａは、さらに、ステップＳ１０５により、分配率ｋｄ＝０となるように、分配弁１７の開度を制御する。すなわち、分配弁１７の開度は、熱媒体の全量が暖房循環経路を通流するように制御される。コントローラ１２Ａは、ステップＳ１０６により、ポンプ１０（追焚用ポンプ）を停止させる。これにより、風呂装置３１０は放熱運転を停止する。
【０１２４】
このように、本実施の形態２に係る風呂装置においても、実施の形態１に係る風呂装置と同様に、入浴者が浴室から退室した後に浴槽湯温を初期温度Ｔ♯まで低下させることにより、次の入浴者が入浴した後に浴槽湯温を設定温度Ｔ＊まで昇温させることができる。したがって、当該次の入浴者に対しても、入浴までの一連の行動の中で生じる急激な温度変化による身体への負担を軽減することができ、快適感を与えることができる。この結果、入浴時の快適性を向上させることができる風呂装置を提供することができる。
【０１２５】
今回開示された実施の形態はすべての点で例示であって制限的なものではないと考えられるべきである。本発明の範囲は上記した説明ではなくて特許請求の範囲よって示され、特許請求の範囲と均等の意味および範囲内でのすべての変更が含まれることが意図される。
【符号の説明】
【０１２６】
１  筐体、１ａ  排気口、２，２ａ，２ｂ  バーナ、３，３ａ，３ｂ  ファン、４，４ａ，４ｂ，１８  熱交換器、５  給水配管、５Ａ，６Ａ，１６Ａ〜１６Ｃ  配管、５Ｂ  接続点、５ａ  入水口、５ｂ  入力端、６  給湯配管、６ａ  出湯口、６ｂ  出力端、７  混合弁、８  循環路、８ａ  戻り配管、８ｂ  往き配管、８ｃ  合流点、９  温度センサ、１０，１９  ポンプ、１１  水位センサ、１２，１２Ａ  コントローラ、１３  二方弁、１４  電気配線、１５  スイッチ、１７  分配弁、１８ａ  一次側経路、１８ｂ  二次側経路、２０  浴槽、２１  湯水、３０  リモコン、３１  表示部、３２  操作部、３３  入室センサ、４０  入浴者、１００，１１０  熱源機、１１２  暖房端末、１２０  入室判定部、１２２  水位判定部、１２４  温度判定部、１２６  制御部、３００，３１０  風呂装置、Ｔ♯  初期温度、Ｔ＊  設定温度。
【図１】
2019011898.tif 000003
【図２】
2019011898.tif 000004
【図３】
2019011898.tif 000005
【図４】
2019011898.tif 000006
【図５】
2019011898.tif 000007
【図６】
2019011898.tif 000008
【図７】
2019011898.tif 000009
【図８】
2019011898.tif 000010